(57)【要約】      （修正有）【課題】緩衝効果と測量効果を同時に備えた油圧式ロードセルにより、温度上昇が速く、人体に有害な物質を発生しない、オイルランプの提供。【解決手段】瓶体８を主体とし、該瓶体内に内孔１２を貫通して設け、該内孔上方に内上孔１３を形成し、内上孔１３と上開口部１４が相対し、また、内孔下方に内底孔１１を設け、該内底孔と座体の底孔が相対し、さらに該瓶体上方に上台座３を設置して成り、該上台座上方にチップ１を設置するためのチップ座部２を設け、さらに該上台座下方に精油を吸上げる棉ひも４を設置し、さらに電源コード５を接続して設置し、該電源コードはコネクタ６が接続され、該コネクタ（コネクタを交換しAC/DC電源で使用可能）がさらにプラグ７に接続されて、電源を前記チップ座部に供給し、チップ１を加熱し、精油を高温で空気中に発散させる。【選択図】図２
0003106945.tif 000002
【実用新案登録請求の範囲】
【請求項１】
瓶体を主体とし、該瓶体内に内孔を貫通して設け、該内孔上方に内上孔を形成し、該内上孔と上開口部が相対し、また、該内孔下方に内底孔を設け、該内底孔と座体の底孔が相対し、さらに該瓶体上方に上台座を設置して成り、該上台座上方にチップを設置するためのチップ座部を設け、さらに該上台座下方に精油を吸上げる棉ひもを設置し、さらに電源コードを接続して設置し、該電源コードはコネクタが接続され、該コネクタ（コネクタを交換しAC/DC電源で使用可能）がさらにプラグに接続されて、電源を前記チップ座部に供給し、前記チップを加熱し、精油を高温で空気中に発散させると共に、さらに前記座体下方にさらに電源供給ボックスを設置し、該電源供給ボックス内に蓄電体を設け、該蓄電体を介して元の電源コードを接続し、該電源コードを直接接続して電源を前記チップ座部に供給し、チップを加熱することもできることを特徴とするオイルランプ。
【考案の詳細な説明】
【技術分野】
【０００１】
本考案はオイルランプに関し、特に、瓶体を主体とし、瓶体内に内孔を貫通して設け、該内孔上方に内上孔を設け、該内上孔と上開口部が相対し、また、該内孔下方に内底孔を設け、該内底孔と座体の底孔が相対し、さらに瓶体上方に上台座を設置し、該上台座上方にチップを嵌め込んで設置するためのチップ座部を設け、上台座下方に精油を吸上げる棉ひもを設け、さらに、電源コードを接続して設け、該電源コードにコネクタを接続し、該コネクタ（コネクタを交換しAC/DC電源使用が可能）にさらにプラグを接続して設け、前記チップ座部に電源を供給し、チップを加熱することで得られる高温により、精油を空気中に発散させる。さらに、前記座体下方に、内部に蓄電体を設置した電源供給ボックスを設け、該蓄電体を介して元の電源コードを接続してもよく、該電源コードを直接接続し前記チップ座部に電源を供給してチップを加熱することができる。本製品の電気使用は1分間のみでよく、電源火災や旧式のもののような点火の危険なく使用することができる、オイルランプに関する。
【背景技術】
【０００２】
図１に示すような、従来の芳香ランプまたはオイルランプ２０の使用法は、本体上方に皿体２１を設け、該皿体に精油を入れ、さらに下方に温度供給装置２３を設置し、該温度供給装置は通常アルコールを用い燃焼させる方法で高温を発し、上方に設けた前記皿体に温度を供給して、迅速に該皿体内の精油や精油に含まれる特殊な香料の香りを発散させることができる。
【０００３】
しかしながら、使用者が点火し加熱するとき、その温度はゆっくりと上昇するが、精油はイソプロピルアルコールを含んでおり、低温で精油を発散させると、有害物質が発生することがあり、人体に害を与える物質を精油に発生させないために、芳香ランプやオイルランプが用いる温度は300度に達する必要があるが、現有の装置では不可能であり、実に不便な機構である。
【考案の開示】
【考案が解決しようとする課題】
【０００４】
前述の問題に鑑みて、緩衝効果と測量効果を同時に備えた油圧式ロードセルをいかに提供するかが、本考案が解決する技術的問題点である。
【課題を解決するための手段】
【０００５】
図２及び図３に示すように、本考案のオイルランプは、瓶体８を主体とし、該瓶体８内に内孔１２を貫通して設け、該内孔１２上方に内上孔１３を形成し、該内上孔１３と上開口部１４が相対し、また、該内孔１２下方に内底孔１１を設け、該内底孔１１と座体９の底孔１０が相対する。該瓶体８上方に上台座３を設置し、該上台座３上方にチップ１を設置するためのチップ座部２を設け、さらに該上台座３下方に精油を吸上げる棉ひも４を設けると共に、電源コード５を接続して設置し、該電源コードはコネクタ６が接続され、該コネクタ６（コネクタを交換しAC/DC電源で使用可能）がさらにプラグ７に接続されて、電源を前記チップ座部２に供給し、前記チップ１を加熱し、精油を高温で空気中に発散させることができる。
【０００６】
図５に示すように、前記座体９下方にさらに電源供給ボックス１６を設置してもよく、該電源供給ボックス１６内に蓄電体１７を設置し、該蓄電体１７を介して元の電源コードを接続し、該電源コードを直接接続して電源を前記チップ座部に供給し、チップを加熱することができ、精油を高温で空気中に発散させるのに便利である。
【考案の効果】
【０００７】
本考案の進歩性と実用性を示すため、従来の製品と本考案とを比較すると以下のように分析することができる。
【０００８】
従来品の欠点
１、  温度上昇が緩慢で、人体に有害な物質が発生する。
２、  精油はイソプロピルアルコールを含んでおり、低温で発散されると、有害物質が発生する。
３、  故障しやすい。
４、  実用的でない。
５、  電源火災の問題と点火による火災の危険がある。
【０００９】
本考案の利点
１、  温度上昇が速く、人体に有害な物質を発生しない。
２、  コストが低い。
３、  故障しにくい。
４、  利便性が高い。
５、  進歩性がある。
６、  産業的利用価値がある。
７、  電源火災の問題と点火による火災の発生の危険がない。
【考案を実施するための最良の形態】
【００１０】
本考案のオイルランプは、図４に示すように、使用者が電源を本考案のオイルランプに送ると、上端部に設置されたチップが瞬間的に300度以上の高温を発し、チップが発する高温により、瓶体内の精油を迅速に空気中へ揮発させ、部屋１５全体に充満させることができ、使用目的を達することができる。瓶体に入れられた精油は、棉ひもに吸上げられ、上台座とチップ座部を通過し、上端部に設置されたチップに達し、このときチップは接続された電源コードにより電源がチップ座部に供給されて加熱し、チップが発する高温により精油が空気中に発散され、進歩性と利便性を備えている。
【００１１】
以上のように、本考案は従来技術を打破する構造で、確実に目的とする効果を得ることができ、且つ、技術者が容易に実施できると共に、本考案は進歩性と実用性を兼ね備えており、実用新案の出願要件を満たしているため、ここに出願するものである。
【図面の簡単な説明】
【００１２】
【図１】従来品の立体外観図である。
【図２】本考案の平面透視図である。
【図３】本考案の立体外観図である。
【図４】本考案の使用模式図である。
【図５】本考案の別の実施例を示す立体外観図である。
【符号の説明】
【００１３】
１        チップ
２        チップ座部
３        上台座
４        棉ひも
５        電源コード
６        コネクタ
７        プラグ
８        瓶体
９        座体
１０      底孔
１１      内底孔
１２      内孔
１３      内上孔
１４      上開口部
１５      部屋
１６      電源供給ボックス
１７      蓄電体
【図１】
0003106945.tif 000003
【図２】
0003106945.tif 000004
【図３】
0003106945.tif 000005
【図４】
0003106945.tif 000006
【図５】
0003106945.tif 000007
【手続補正書】
【提出日】平成16年9月14日(2004.9.14)
【手続補正１】
【補正対象書類名】実用新案登録請求の範囲
【補正対象項目名】請求項１
【補正方法】変更
【補正の内容】
【請求項１】
瓶体を主体とし、該瓶体内に内孔を貫通して設け、該内孔上方に内上孔を形成し、該内上孔と上開口部が相対し、また、該内孔下方に内底孔を設け、該内底孔と座体の底孔が相対し、さらに該瓶体上方に上台座を設置して成り、該上台座上方にチップを設置するためのチップ座部を設け、さらに該上台座下方に精油を吸上げる棉ひもを設置し、さらに電源コードを接続して設置し、該電源コードはコネクタが接続され、該コネクタがさらにプラグに接続されて、電源を前記チップ座部に供給し、前記チップを加熱し、精油を高温で空気中に発散させると共に、さらに前記座体下方にさらに電源供給ボックスを設置し、該電源供給ボックス内に蓄電体を設け、該蓄電体を介して元の電源コードを接続し、該電源コードを直接接続して電源を前記チップ座部に供給し、チップを加熱することもできることを特徴とするオイルランプ。